(57)【要約】【課題】媒体の斜行を適切に矯正する。【解決手段】媒体搬送装置は、左側ストッパ４２と右側ストッパ４３とレバー８２と斜行矯正機構８１とを備えている。斜行矯正機構８１は、レバー８２が搬送路を遮断しているときに、左側ストッパ４２と右側ストッパ４３とが搬送路を遮断するように、左側ストッパ４２と右側ストッパ４３とを固定し、レバー８２が搬送路を開放するときに、左側ストッパ４２と右側ストッパ４３とを解放する。左側ストッパ４２と右側ストッパ４３が固定されている状態から解放されるときに、レバー８２のうちの搬送路に交差する部分は、左側ストッパ４２のうちの搬送路に交差する部分と右側ストッパ４３のうちの搬送路に交差する部分との間に配置されている。【選択図】図２２
2020037478.tif 000002
【特許請求の範囲】
【請求項１】
媒体が搬送方向に搬送される搬送路が形成される搬送部と、
第１遮断位置または第１開放位置に配置されるように、移動可能に前記搬送部に支持される第１ストッパと、
第２遮断位置または第２開放位置に配置されるように、移動可能に前記搬送部に支持される第２ストッパと、
遮断領域または開放領域に配置されるように、移動可能に前記搬送部に支持されるレバーと、
前記レバーが前記遮断領域に配置されているときに、前記第１ストッパを前記第１遮断位置に配置し、前記第２ストッパを前記第２遮断位置に配置する機構とを備え、
前記機構は、前記レバーが前記開放領域に配置されているときに、前記第１ストッパが前記第１開放位置に配置されるように前記第１ストッパを解放し、前記第２ストッパが前記第２開放位置に配置されるように前記第２ストッパを解放し、
前記遮断領域と前記開放領域との間の境界位置に前記レバーが配置されるときに、前記レバーのうちの前記搬送路に交差するレバー部分は、前記第１遮断位置に前記第１ストッパが配置されるときに前記第１ストッパのうちの前記搬送路に交差する第１ストッパ部分と、前記第２遮断位置に前記第２ストッパが配置されるときに前記第２ストッパのうちの前記搬送路に交差する第２ストッパ部分との間に配置される
媒体搬送装置。
【請求項２】
前記レバーは、
第１遮断領域または第１開放領域に配置されるように、移動可能に前記搬送部に支持される第１レバーと、
第２遮断領域または第２開放領域に配置されるように、移動可能に前記搬送部に支持される第２レバーとを有し、
前記機構は、
前記第１レバーが前記第１遮断領域に配置されているときに、前記第１ストッパを前記第１遮断位置に配置し、前記第１レバーが前記第１開放領域に配置されているときに、前記第１ストッパが前記第１開放位置に配置されるように前記第１ストッパを解放する第１機構と、
前記第２レバーが前記第２遮断領域に配置されているときに、前記第２ストッパを前記第２遮断位置に配置し、前記第２レバーが前記第２開放領域に配置されているときに、前記第２ストッパが前記第２開放位置に配置されるように前記第２ストッパを解放する第２機構とを有する
請求項１に記載の媒体搬送装置。
【請求項３】
前記第１レバーは、前記第１ストッパと前記第２レバーとの間に配置される
請求項２に記載の媒体搬送装置。
【請求項４】
複数の媒体から前記媒体を分離する分離部をさらに備え、
前記分離部は、前記第１ストッパと前記第２ストッパとより前記搬送方向の反対方向の側に配置される
請求項１に記載の媒体搬送装置。
【請求項５】
前記複数の媒体が載置される載置台をさらに備え、
前記媒体は、前記複数の媒体のうちの前記載置台に対向する側の反対側に配置される
請求項４に記載の媒体搬送装置。
【請求項６】
前記レバーは、レバー回転軸を中心に回転可能に前記搬送部に支持され、
前記レバー部分は、前記レバー回転軸より前記搬送方向の側に配置される
請求項１に記載の媒体搬送装置。
【請求項７】
前記レバー部分のうちの前記搬送方向の反対方向の側のレバー端は、前記レバーが前記境界位置に配置されるときに、前記搬送方向に垂直である平面に沿う
請求項１に記載の媒体搬送装置。
【請求項８】
前記搬送部は、う回路が形成され、
前記第１ストッパは、前記第１ストッパが前記第１遮断位置に配置される場合で、前記媒体のうちの前記搬送方向の側の端に沿う直線が、前記第１ストッパ部分と前記レバー部分とを結ぶ線分に交差しないときに、前記媒体が前記搬送方向に搬送されないように、前記端に突き当たり、前記直線が前記線分に交差するときに、前記媒体がう回路を介して前記搬送方向に搬送されるように、前記媒体を前記う回路に案内する
請求項１に記載の媒体搬送装置。
【請求項９】
前記第１ストッパは、ストッパ回転軸を中心に回転可能に前記搬送部に支持され、
前記機構は、前記レバーに固定される回転止め部を有し、
前記回転止め部は、
前記レバーが前記遮断領域に配置されるときに、前記搬送部の一部と前記ストッパの一部との間に形成される隙間に入ることにより、前記第１ストッパが前記第１遮断位置に配置された状態で、前記第１ストッパを固定し、
前記レバーが前記開放領域に配置されるときに、前記隙間から外れることにより、前記第１ストッパを解放する
請求項１に記載の媒体搬送装置。
【発明の詳細な説明】
【技術分野】
【０００１】
本開示の技術は、媒体搬送装置に関する。
【背景技術】
【０００２】
媒体を搬送し、その搬送される媒体の画像を読み取る画像読取装置が知られている。搬送される媒体に印刷するプリンタにおいて、その媒体が斜行したときに、その斜行を矯正する機構が設けられているものが知られている（特許文献１〜３参照）。
【先行技術文献】
【特許文献】
【０００３】
【特許文献１】特開平０４−４９１４８号公報
【特許文献２】特開平０７−８９６４３号公報
【特許文献３】特開平０９−８６７２６号公報
【発明の概要】
【発明が解決しようとする課題】
【０００４】
画像読取装置は、プリンタと異なり、様々なサイズの媒体が搬送されることがある。このため、画像読取装置は、媒体の斜行を適切に矯正することが困難である場合がある。
【０００５】
開示の技術は、かかる点に鑑みてなされたものであって、媒体の斜行を適切に矯正する媒体搬送装置を提供することを目的とする。
【課題を解決するための手段】
【０００６】
開示の態様では、媒体搬送装置は、媒体が搬送方向に搬送される搬送路が形成される搬送部と、第１遮断位置または第１開放位置に配置されるように、移動可能に前記搬送部に支持される第１ストッパと、第２遮断位置または第２開放位置に配置されるように、移動可能に前記搬送部に支持される第２ストッパと、遮断領域または開放領域に配置されるように、移動可能に前記搬送部に支持されるレバーと、前記レバーが前記遮断領域に配置されているときに、前記第１ストッパを前記第１遮断位置に配置し、前記第２ストッパを前記第２遮断位置に配置する機構とを備えている。前記機構は、前記レバーが前記開放領域に配置されているときに、前記第１ストッパが前記第１開放位置に配置されるように前記第１ストッパを解放し、前記第２ストッパが前記第２開放位置に配置されるように前記第２ストッパを解放する。前記遮断領域と前記開放領域との間の境界位置に前記レバーが配置されるときに、前記レバーのうちの前記搬送路に交差するレバー部分は、前記第１遮断位置に前記第１ストッパが配置されるときに前記第１ストッパのうちの前記搬送路に交差する第１ストッパ部分と、前記第２遮断位置に前記第２ストッパが配置されるときに前記第２ストッパのうちの前記搬送路に交差する第２ストッパ部分との間に配置される。
【発明の効果】
【０００７】
開示の画像読取装置は、媒体の斜行を適切に矯正することができる。
【図面の簡単な説明】
【０００８】
【図１】図１は、実施例１の画像読取装置を示す側面断面図である。
【図２】図２は、分離部を示す断面図である。
【図３】図３は、可動側フレームが開放位置に配置されたときの媒体搬送装置を示す側面断面図である。
【図４】図４は、斜行矯正機構を示す断面図である。
【図５】図５は、斜行矯正機構を示す上面図である。
【図６】図６は、左側ストッパと左側レバーと左側連動機構とを示す斜視図である。
【図７】図７は、左側ストッパと左側レバーと左側連動機構とを示す側面図である。
【図８】図８は、左側レバーが左側境界位置に配置されているときの左側連動機構を示す側面図である。
【図９】図９は、左側レバーが左側レバー搬送路開放領域に配置され、左側ストッパが左側ストッパ搬送路開放位置に配置されているときの左側連動機構を示す斜視図である。
【図１０】図１０は、左側レバーが左側レバー搬送路開放領域に配置され、左側ストッパが左側ストッパ搬送路開放位置に配置されているときの左側連動機構を示す側面図である。
【図１１】図１１は、斜行矯正機構の左側ストッパに突き当たる媒体を示す平面図である。
【図１２】図１２は、斜行矯正機構の左側レバーと右側レバーとに突き当たる媒体を示す平面図である。
【図１３】図１３は、左側ストッパに突き当たることにより撓んだ媒体を示す平面図である。
【図１４】図１４は、左側ストッパに突き当たることにより撓んだ媒体を示す側面図である。
【図１５】図１５は、斜行矯正機構の左側ストッパと右側ストッパとに突き当たる媒体を示す平面図である。
【図１６】図１６は、幅が小さい媒体が搬送されるときの斜行矯正機構を示す平面図である。
【図１７】図１７は、幅が小さい媒体が搬送されるときの斜行矯正機構を示す他の平面図である。
【図１８】図１８は、実施例２の媒体搬送装置の斜行矯正機構を示す平面図である。
【図１９】図１９は、実施例２の媒体搬送装置の右側レバーと実施例１の媒体搬送装置の左側レバーとを示す平面図である。
【図２０】図２０は、幅が小さい媒体が搬送されるときの斜行矯正機構を示す平面図である。
【図２１】図２１は、幅が小さい媒体が搬送されるときの斜行矯正機構を示す他の平面図である。
【図２２】図２２は、実施例３の媒体搬送装置の斜行矯正機構を示す斜視図である。
【図２３】図２３は、実施例３の媒体搬送装置の斜行矯正機構を示す平面図である。
【図２４】図２４は、実施例４の媒体搬送装置の斜行矯正機構を示す斜視図である。
【図２５】図２５は、実施例５の媒体搬送装置の斜行矯正機構を示す平面図である。
【図２６】図２６は、実施例６の媒体搬送装置の左側連動機構を示す側面図である。
【図２７】図２７は、実施例７の媒体搬送装置の左側連動機構を示す側面図である。
【図２８】図２８は、実施例８の媒体搬送装置の左側連動機構を示す側面図である。
【図２９】図２９は、実施例８の媒体搬送装置のくさび状部材と左側ストッパとの接触部分を示す拡大図である。
【図３０】図３０は、実施例９の媒体搬送装置の左側ストッパを示す側面図である。
【図３１】図３１は、左側レバー４４が左側境界位置に配置されたときの左側ストッパを示す側面図である。
【図３２】図３２は、左側ストッパ搬送路開放位置に配置された左側ストッパを示す側面図である。
【図３３】図３３は、実施例１０の媒体搬送装置の左側レバーを示す側面図である。
【図３４】図３４は、左側境界位置に配置される左側レバーを示す側面図である。
【図３５】図３５は、左側レバー搬送路開放領域に配置される左側レバーを示す側面図である。
【図３６】図３６は、実施例１１の媒体搬送装置の下側搬送ガイドを示す側面断面図である。
【図３７】図３７は、実施例１１の媒体搬送装置の下側搬送ガイドを示す平面図である。
【図３８】図３８は、実施例１２の媒体搬送装置の左側ストッパを示す断面図である。
【図３９】図３９は、実施例１３の媒体搬送装置の分離部を示す側面図である。
【図４０】図４０は、実施例１３の媒体搬送装置の分離部により斜行矯正機構に搬送される媒体を示す平面図である。
【図４１】図４１は、実施例１の媒体搬送装置の分離部により斜行矯正機構に搬送される媒体を示す平面図である。
【発明を実施するための形態】
【０００９】
以下に、本願が開示する実施形態にかかる媒体搬送装置について、図面を参照して説明する。なお、以下の記載により本開示の技術が限定されるものではない。また、以下の記載においては、同一の構成要素に同一の符号を付与し、重複する説明を省略する。
【実施例１】
【００１０】
図１は、実施例１の媒体搬送装置１０を示す側面断面図である。媒体搬送装置１０は、画像読取装置に設けられ、図１に示されているように、フレーム１を備えている。フレーム１は、固定側フレーム２と可動側フレーム３とを備えている。固定側フレーム２は、媒体搬送装置１０が設置される設置面５に載置され、設置面５に固定される。設置面５は、水平面に沿うように形成されている。可動側フレーム３は、固定側フレーム２の上部に配置されている。可動側フレーム３は、閉鎖位置または開放位置に配置されるように、回転軸６を中心に回転可能に固定側フレーム２に支持されている。回転軸６は、設置面５が沿う平面に平行である。
【００１１】
媒体搬送装置１０は、可動側フレーム３が閉鎖位置に配置されているときに、分離口７と排紙口８と合流点１２とが形成されている。分離口７は、媒体搬送装置１０の後側に形成され、固定側フレーム２と可動側フレーム３との間に形成されている。排紙口８は、媒体搬送装置１０のうちの分離口７が形成される後側の反対側の前側に形成され、固定側フレーム２と可動側フレーム３との間に形成されている。排紙口８は、分離口７が形成される位置より設置面５に近い下側の位置に形成されている。合流点１２は、固定側フレーム２と可動側フレーム３との間に形成されている。合流点１２は、設置面５から合流点１２までの距離が設置面５から排紙口８までの距離と概ね等しくなるように、形成されている。
【００１２】
媒体搬送装置１０は、載置台１４をさらに備えている。載置台１４は、載置面１５が形成されている。載置台１４は、載置面１５が斜め上方を向き、載置面１５に沿う平面と設置面５に沿う平面とがなす角が５５度に概ね等しくなるように、配置されている。載置台１４は、さらに、載置面１５に載置される媒体が重力により分離口７に向かって移動するように、分離口７の近傍に配置され、固定側フレーム２に固定されている。
【００１３】
媒体搬送装置１０は、可動側フレーム３が閉鎖位置に配置されているときに、媒体分離用搬送路１６と媒体読取用搬送路１７とがさらに形成されている。媒体分離用搬送路１６は、固定側フレーム２と可動側フレーム３との間に形成されている。媒体分離用搬送路１６は、一端が分離口７に接続され、他端が合流点１２に接続されている。媒体分離用搬送路１６は、合流点１２に接続された他端が、分離口７に接続された一端より下側に配置されるように、設置面５が沿う平面に対して傾斜している。媒体読取用搬送路１７は、固定側フレーム２と可動側フレーム３との間に形成されている。媒体読取用搬送路１７は、一端が合流点１２に接続され、他端が排紙口８に接続されている。媒体読取用搬送路１７は、設置面５が沿う平面に平行である他の平面に沿うように形成されている。
【００１４】
媒体搬送装置１０は、搬送部２０をさらに備えている。搬送部２０は、分離部２１と第１フィードローラ２２と第２フィードローラ２３と第１プレッシャローラ２４と第２プレッシャローラ２５とを備えている。分離部２１は、媒体分離用搬送路１６の途中に形成されている。分離部２１は、分離口７から媒体分離用搬送路１６に挿入される複数の媒体から載置台１４の載置面１５に接触する１つの媒体を分離する。分離部２１は、さらに、媒体分離用搬送路１６を介して、その分離された１つの媒体を分離口７から合流点１２に向けて搬送する。
【００１５】
第１フィードローラ２２は、円柱状に形成されている。第１フィードローラ２２は、媒体読取用搬送路１７の下側に配置され、回転可能に固定側フレーム２に支持されている。第１フィードローラ２２は、正回転（図１で反時計回り）することにより、媒体読取用搬送路１７に配置される媒体を搬送方向２８に搬送する。搬送方向２８は、媒体読取用搬送路１７に沿う平面に平行であり、かつ、回転軸６に垂直であり、かつ、合流点１２から排紙口８に向かっている。
【００１６】
第１プレッシャローラ２４は、円柱状に形成されている。第１プレッシャローラ２４は、媒体読取用搬送路１７の上側に配置され、第１フィードローラ２２の上側に配置されている。第１プレッシャローラ２４は、設置面５に沿う平面に垂直である上下方向に並進可能に、かつ、回転可能に可動側フレーム３に支持されている。第１プレッシャローラ２４は、媒体読取用搬送路１７に配置される媒体を第１フィードローラ２２に押し付ける。
【００１７】
第２フィードローラ２３は、円柱状に形成されている。第２フィードローラ２３は、媒体読取用搬送路１７の下側のうちの第１フィードローラ２２と排紙口８との間に配置され、回転可能に固定側フレーム２に支持されている。第２フィードローラ２３は、正回転（図１で反時計回り）することにより、媒体読取用搬送路１７に配置される媒体を搬送方向２８に搬送する。
【００１８】
第２プレッシャローラ２５は、円柱状に形成されている。第２プレッシャローラ２５は、媒体読取用搬送路１７の上側に配置され、第２フィードローラ２３の上側に配置されている。第２プレッシャローラ２５は、上下方向に並進可能に、かつ、回転可能に可動側フレーム３に支持されている。第２プレッシャローラ２５は、媒体読取用搬送路１７に配置される媒体を第２フィードローラ２３に押し付ける。
【００１９】
画像読取装置は、下側読取部２６と上側読取部２７とをさらに備えている。下側読取部２６は、媒体読取用搬送路１７の下側に配置され、第１フィードローラ２２と第２フィードローラ２３との間に配置されている。下側読取部２６は、媒体読取用搬送路１７を搬送される媒体の下側の面の画像を読み取る。上側読取部２７は、媒体読取用搬送路１７の上側のうちの下側読取部２６の上側に配置され、第１プレッシャローラ２４と第２プレッシャローラ２５との間に配置されている。上側読取部２７は、媒体読取用搬送路１７を搬送される媒体の上側の面の画像を読み取る。
【００２０】
図２は、分離部２１を示す断面図である。分離部２１は、図２に示されているように、ピックローラ３１とブレーキローラ３２とを備えている。ピックローラ３１は、媒体分離用搬送路１６の下側に配置され、回転可能に固定側フレーム２に支持されている。ピックローラ３１は、正回転（図２で反時計回り）することにより、分離口７から媒体分離用搬送路１６に挿入された複数の媒体３３のうちの載置台１４の載置面１５に接触する媒体３４を合流点１２に向けて搬送する。複数の媒体３３の各々は、たとえば、１枚の用紙から形成されている。複数の媒体３３は、綴じられておらず、互いに分離されることができる。
【００２１】
ブレーキローラ３２は、媒体分離用搬送路１６の上側に配置され、ピックローラ３１に接触するようにピックローラ３１の上側に配置され、回転可能に可動側フレーム３に支持されている。ブレーキローラ３２は、ピックローラ３１が正回転している場合で、媒体がピックローラ３１とブレーキローラ３２との間に挟まれていないときに、ピックローラ３１に追従して正回転（図２で時計回り）する。ブレーキローラ３２は、複数の媒体３３がピックローラ３１とブレーキローラ３２との間に挟まれているときに、逆回転（図２で反時計回り）することにより、複数の媒体３３のうちの媒体３４と異なる他の媒体３５を載置台１４に向けて搬送する。ブレーキローラ３２は、ピックローラ３１により搬送される媒体３４に接触しているときに、媒体３４に追従して正回転する。
【００２２】
図３は、可動側フレーム３が開放位置に配置されたときの媒体搬送装置１０を示す側面断面図である。第１プレッシャローラ２４は、可動側フレーム３が開放位置に配置されることにより、図３に示されているように、第１フィードローラ２２から離れる。第２プレッシャローラ２５は、可動側フレーム３が開放位置に配置されることにより、第２フィードローラ２３から離れる。ブレーキローラ３２は、可動側フレーム３が開放位置に配置されることにより、ピックローラ３１から離れる。搬送部２０により搬送される媒体は、可動側フレーム３が開放位置に配置されることにより、第１プレッシャローラ２４と第２プレッシャローラ２５とブレーキローラ３２とから離され、媒体搬送装置１０から容易に取り出されることができる。
【００２３】
媒体搬送装置１０は、図４に示されているように、斜行矯正機構４１をさらに備えている。図４は、斜行矯正機構４１を示す断面図である。斜行矯正機構４１は、第１フィードローラ２２と合流点１２との間に配置され、媒体読取用搬送路１７のうちの第１フィードローラ２２より後側の領域に配置されている。斜行矯正機構４１は、左側ストッパ４２と右側ストッパ４３と左側レバー４４と右側レバー４５とを備えている。左側ストッパ４２は、媒体読取用搬送路１７のうちの左側に配置されている。右側ストッパ４３は、媒体読取用搬送路１７のうちの右側に配置されている。左側レバー４４と右側レバー４５とは、媒体読取用搬送路１７のうちの中央に配置され、左側ストッパ４２と右側ストッパ４３との間に概ね配置されている。左側レバー４４と右側レバー４５とは、さらに、左側ストッパ４２と右側ストッパ４３とより搬送方向２８の反対方向の側に配置されている。左側レバー４４は、右側レバー４５の左側に配置され、左側ストッパ４２と右側レバー４５との間に配置されている。図５は、斜行矯正機構４１を示す上面図である。斜行矯正機構４１は、左側連動機構４６と右側連動機構４７とをさらに備えている。
【００２４】
図６は、左側ストッパ４２と左側レバー４４と左側連動機構４６とを示す斜視図である。左側ストッパ４２は、帯状に形成されている。左側ストッパ４２は、左側ストッパ搬送路遮断位置または左側ストッパ搬送路開放位置に配置されるように、ストッパ回転軸４８を中心に回転可能に可動側フレーム３に支持されている。ストッパ回転軸４８は、回転軸６に平行である。左側レバー４４は、棒状に形成されている。左側レバー４４は、左側レバー搬送路遮断領域または左側レバー搬送路開放領域に配置されるように、レバー回転軸４９を中心に回転可能に可動側フレーム３に支持されている。レバー回転軸４９は、ストッパ回転軸４８に平行であり、ストッパ回転軸４８から離れている。
【００２５】
左側連動機構４６は、ストッパ側突き当て部５１とレバー側突き当て部５２と固定部材５３とを備えている。ストッパ側突き当て部５１は、左側ストッパ４２の上側に配置され、左側ストッパ４２に固定されている。レバー側突き当て部５２は、ストッパ側突き当て部５１の近傍に配置され、固定部材５３を介して左側レバー４４に固定されている。
【００２６】
図７は、左側ストッパ４２と左側レバー４４と左側連動機構４６とを示す側面図である。搬送部２０は、下側搬送ガイド５４と上側搬送ガイド５５とをさらに備えている。下側搬送ガイド５４は、概ね板状に形成されている。下側搬送ガイド５４は、設置面５に概ね平行である平面に沿うように配置され、固定側フレーム２に固定されている。上側搬送ガイド５５は、概ね板状に形成されている。上側搬送ガイド５５は、可動側フレーム３が閉鎖位置に配置されているときに、下側搬送ガイド５４に沿う平面に平行である他の平面に沿うように配置され、可動側フレーム３に固定されている。すなわち、左側ストッパ４２と右側ストッパ４３と左側レバー４４と右側レバー４５とは、回転可能に上側搬送ガイド５５に支持されている。媒体読取用搬送路１７は、下側搬送ガイド５４と上側搬送ガイド５５との間に形成されている。
【００２７】
左側ストッパ４２は、左側ストッパ搬送路遮断位置に配置されるときに、下側搬送ガイド５４に沿う平面に交差し、かつ、上側搬送ガイド５５に沿う平面に交差する。下側搬送ガイド５４は、左側ストッパ４２がストッパ回転軸４８を中心に回転したときに、左側ストッパ４２に接触しないように、孔が形成されている。上側搬送ガイド５５は、左側ストッパ４２がストッパ回転軸４８を中心に回転したときに、左側ストッパ４２に接触しないように、孔が形成されている。左側ストッパ４２は、左側ストッパ部分５６を備えている。左側ストッパ部分５６は、左側ストッパ４２が左側ストッパ搬送路遮断位置に配置されるときに、左側ストッパ４２のうちの媒体読取用搬送路１７に重なる部分である。すなわち、左側ストッパ部分５６は、左側ストッパ４２が左側ストッパ搬送路遮断位置に配置されるときに、媒体読取用搬送路１７を遮断し、媒体読取用搬送路１７を搬送される媒体に接触するように配置されている。
【００２８】
左側レバー４４は、左側レバー搬送路遮断領域に配置されているときに、下側搬送ガイド５４に沿う平面に交差し、かつ、上側搬送ガイド５５に沿う平面に交差する。すなわち、左側レバー４４は、左側レバー４４が左側レバー搬送路遮断領域に配置されるときに、媒体読取用搬送路１７を遮断し、媒体読取用搬送路１７を搬送される媒体に接触するように配置されている。左側レバー４４は、左側レバー４４が左側レバー搬送路遮断領域に配置されるときに、左側ストッパ搬送路遮断位置に配置される左側ストッパ４２の左側ストッパ部分５６より搬送方向２８の反対方向の側に配置されている。
【００２９】
下側搬送ガイド５４は、さらに、左側レバー４４がレバー回転軸４９を中心に回転したときに、左側レバー４４に接触しないように、他の孔が形成されている。上側搬送ガイド５５は、さらに、左側レバー４４がレバー回転軸４９を中心に回転したときに、左側レバー４４に接触しないように、他の孔が形成されている。
【００３０】
レバー側突き当て部５２は、左側レバー４４が左側レバー搬送路遮断領域に配置されている場合で、左側ストッパ４２が左側ストッパ搬送路遮断位置に配置されているときに、ストッパ側突き当て部５１に突き当たるように、配置される。左側ストッパ４２は、レバー側突き当て部５２がストッパ側突き当て部５１に突き当たるときに、ストッパ回転軸４８を中心に正回転（図７で時計回り）しないように、左側ストッパ搬送路遮断位置に配置された状態で可動側フレーム３に固定される。
【００３１】
左側レバー４４は、レバー回転軸４９を中心に正回転（図７で時計回り）することにより、左側レバー搬送路遮断領域から左側レバー搬送路開放領域に移動する。左側レバー４４は、図８に示されているように、左側レバー搬送路遮断領域から左側レバー搬送路開放領域に移動するときに左側境界位置を通過する。図８は、左側レバー４４が左側境界位置に配置されているときの左側連動機構４６を示す側面図である。レバー側突き当て部５２は、左側レバー４４が左側境界位置に配置されているときに、ストッパ側突き当て部５１に突き当たらないように、配置される。左側ストッパ４２は、左側レバー４４が左側境界位置に配置されているときに、ストッパ側突き当て部５１がレバー側突き当て部５２に突き当たらないことにより、左側ストッパ搬送路遮断位置から正回転することができるように解放される。
【００３２】
左側レバー４４は、左側レバー部分５７を備えている。左側レバー部分５７は、左側レバー４４が左側境界位置に配置されるときに、左側レバー４４のうちの媒体読取用搬送路１７に重なっている部分である。左側レバー４４が左側境界位置に配置されたときの左側レバー部分５７の搬送方向２８における位置は、左側ストッパ４２が左側ストッパ搬送路遮断位置に配置されたときの左側ストッパ部分５６の搬送方向２８における位置に概ね等しい。即ち、左側レバー４４が左側境界位置に配置されたときに搬送方向２８に平行な直線に左側レバー部分５７が正射影された線分は、左側ストッパ４２が左側ストッパ搬送路遮断位置に配置されたときに左側ストッパ部分５６がその直線に正射影された線分に重なる。
【００３３】
左側レバー４４は、さらに正回転することにより、左側境界位置から左側レバー搬送路開放領域に移動する。図９は、左側レバー４４が左側レバー搬送路開放領域に配置され、左側ストッパ４２が左側ストッパ搬送路開放位置に配置されているときの左側連動機構４６を示す斜視図である。レバー側突き当て部５２は、左側レバー４４が左側レバー搬送路開放領域に配置されているときに、左側レバー４４が左側境界位置に配置されているときと同様に、ストッパ側突き当て部５１に突き当たらないように、配置される。このため、左側ストッパ４２は、左側レバー４４が左側レバー搬送路開放領域に配置されているときに、左側ストッパ搬送路遮断位置から正回転することができるように解放されている。
【００３４】
左側ストッパ４２は、左側ストッパ搬送路遮断位置から正回転することにより、図１０に示されているように、左側ストッパ搬送路開放位置に配置される。図１０は、左側レバー４４が左側レバー搬送路開放領域に配置され、左側ストッパ４２が左側ストッパ搬送路開放位置に配置されているときの左側連動機構４６を示す側面図である。左側レバー４４は、左側レバー搬送路開放領域に配置されることにより、下側搬送ガイド５４に沿う平面に交差しないように、下側搬送ガイド５４より上側に配置される。媒体読取用搬送路１７は、左側レバー４４が左側レバー搬送路開放領域に配置されることにより、媒体が搬送されることができるように、一部が開放される。
【００３５】
左側ストッパ４２は、左側レバー４４が左側レバー搬送路開放領域に配置されているときに、移動可能に解放されていることにより、左側ストッパ搬送路開放位置に配置されることができる。左側ストッパ部分５６は、左側ストッパ４２が左側ストッパ搬送路開放位置に配置されるときに、媒体読取用搬送路１７を媒体が搬送されるように、媒体読取用搬送路１７を開放する。
【００３６】
右側ストッパ４３は、左側ストッパ４２と同様に形成され、すなわち、右側ストッパ搬送路遮断位置または右側ストッパ搬送路開放位置に配置されるように、ストッパ回転軸４８を中心に回転可能に可動側フレーム３に支持されている。右側ストッパ４３は、右側ストッパ４３が右側ストッパ搬送路遮断位置に配置されたときに媒体読取用搬送路１７に重なる右側ストッパ部分を備えている。右側ストッパ部分は、右側ストッパ４３が右側ストッパ搬送路遮断位置に配置されたときに、媒体読取用搬送路１７を遮断し、右側ストッパ４３が右側ストッパ搬送路開放位置に配置されたときに、媒体読取用搬送路１７を開放する。右側ストッパ４３が右側ストッパ搬送路遮断位置に配置されたときの右側ストッパ部分の搬送方向２８における位置は、左側ストッパ４２が左側ストッパ搬送路遮断位置に配置されたときの左側ストッパ部分５６の搬送方向２８における位置に概ね等しい。
【００３７】
右側レバー４５は、左側レバー４４と同様に形成され、すなわち、右側レバー搬送路遮断領域または右側レバー搬送路開放領域に配置されるように、レバー回転軸４９を中心に回転可能に可動側フレーム３に支持されている。右側レバー４５は、右側レバー４５が右側レバー搬送路遮断領域に配置されたときに媒体読取用搬送路１７に重なる右側レバー部分を備えている。右側レバー部分は、右側レバー４５が右側レバー搬送路遮断領域に配置されたときに、媒体読取用搬送路１７を遮断し、右側レバー４５が右側レバー搬送路開放領域に配置されたときに、媒体読取用搬送路１７を開放する。右側レバー４５が右側レバー搬送路遮断領域に配置されたときの右側レバー部分の搬送方向２８における位置は、左側レバー４４が左側レバー搬送路遮断領域に配置されたときの左側レバー部分５７の搬送方向２８における位置に概ね等しい。
【００３８】
右側連動機構４７は、左側連動機構４６と同様に形成され、右側レバー４５が右側レバー搬送路遮断領域に配置されているときに、右側ストッパ４３を右側ストッパ搬送路遮断位置に配置された状態で右側ストッパ４３を可動側フレーム３に固定する。右側連動機構４７は、右側レバー４５が右側境界位置または右側レバー搬送路開放領域に配置されているときに、右側ストッパ４３が右側ストッパ搬送路開放位置に配置されることができるように、右側ストッパ４３を解放する。
【００３９】
斜行矯正機構４１の左側ストッパ４２は、媒体搬送装置１０が設置面５に載置されているときに、自重により、左側ストッパ搬送路遮断位置に向かって逆回転し、左側ストッパ搬送路遮断位置に配置される。左側レバー４４は、左側ストッパ４２が左側ストッパ搬送路遮断位置に配置されているときに、自重により、左側レバー搬送路遮断領域に向かって逆回転し、左側レバー搬送路遮断領域に配置される。右側ストッパ４３は、自重により、右側ストッパ搬送路遮断位置に向かって逆回転し、右側ストッパ搬送路遮断位置に配置される。右側レバー４５は、右側ストッパ４３が右側ストッパ搬送路遮断位置に配置されているときに、自重により、右側レバー搬送路遮断領域に向かって逆回転し、右側レバー搬送路遮断領域に配置される。
【００４０】
このため、左側ストッパ４２は、媒体読取用搬送路１７に媒体３４が搬送されていない初期状態で、左側ストッパ搬送路遮断位置に配置される。右側ストッパ４３は、初期状態で、右側ストッパ搬送路遮断位置に配置される。左側レバー４４は、初期状態で、左側レバー搬送路遮断領域に配置される。右側レバー４５は、初期状態で、右側レバー搬送路遮断領域に配置される。
【００４１】
さらに、左側レバー部分５７は、左側レバー４４が左側境界位置に配置されているときに、初期状態での左側ストッパ４２と右側ストッパ４３との間に配置されている。右側レバー部分は、右側レバー４５が右側境界位置に配置されているときに、初期状態での左側ストッパ４２と右側ストッパ４３との間に配置されている。
【００４２】
［媒体搬送装置１０の動作］
ユーザは、媒体搬送装置１０が設けられた画像読取装置を用いて複数の媒体３３の画像を読み取りたいときに、載置台１４に複数の媒体３３を載置する。複数の媒体３３は、載置台１４に載置されたときに、重力により分離口７に挿入され、分離部２１に接触する。
【００４３】
ユーザは、複数の媒体３３が載置台１４に載置された後に、媒体搬送装置１０に所定の操作を施す。搬送部２０は、媒体搬送装置１０に所定の操作が施されたときに、ピックローラ３１と第１フィードローラ２２と第２フィードローラ２３とを正回転させ、ブレーキローラ３２を逆回転させる。分離部２１は、ピックローラ３１が正回転することにより、複数の媒体３３のうちの載置台１４に接触する媒体３４を合流点１２に向けて搬送する。分離部２１は、さらに、ブレーキローラ３２が逆回転することにより、媒体３５が合流点１２に搬送されないように、複数の媒体３３を媒体３４と媒体３５とに分離する。媒体３４は、分離部２１により搬送されることにより、媒体読取用搬送路１７に搬送される。
【００４４】
媒体３４は、媒体読取用搬送路１７に搬送されることにより、斜行矯正機構４１を通過する。媒体３４は、斜行矯正機構４１を通過した後に、第１フィードローラ２２と第１プレッシャローラ２４との間に挟まれ、第１プレッシャローラ２４により第１フィードローラ２２に押し付けられる。第１フィードローラ２２は、正回転することにより、媒体読取用搬送路１７を介して媒体３４を搬送方向２８に搬送する。媒体３４が媒体読取用搬送路１７を搬送されるときに、下側読取部２６は、媒体３４のうちの下側の面の画像を読み取り、上側読取部２７は、媒体３４のうちの上側の面の画像を読み取る。媒体３４は、下側読取部２６と上側読取部２７との間を通過した後に、第２フィードローラ２３と第２プレッシャローラ２５との間に挟まれ、第２プレッシャローラ２５により第２フィードローラ２３に押し付けられる。第２フィードローラ２３は、正回転することにより、媒体読取用搬送路１７を介して媒体３４を搬送方向２８に搬送し、媒体３４を排紙口８から排出する。
【００４５】
媒体３４は、斜行矯正機構４１を通過するときに、図１１に示されているように、媒体読取用搬送路１７を斜行し、斜行矯正機構４１の左側ストッパ４２に突き当たることがある。図１１は、斜行矯正機構４１の左側ストッパ４２に突き当たる媒体３４を示す平面図である。媒体３４は、左側ストッパ４２に突き当たった後に、分離部２１に搬送されることにより、撓み、媒体３４の先端５９のうちの左側ストッパ４２に突き当たっていない部分が搬送方向２８に移動するように、左側ストッパ４２を概ね中心に先端５９が回転する。
【００４６】
媒体３４は、先端５９が回転することにより、図１２に示されているように、さらに、左側レバー４４と右側レバー４５とに突き当たる。図１２は、斜行矯正機構４１の左側レバー４４と右側レバー４５とに突き当たる媒体３４を示す平面図である。左側レバー４４は、媒体３４が左側レバー４４に突き当たることにより、左側ストッパ搬送路遮断領域から左側境界領域に向かって移動する。右側レバー４５は、媒体３４が右側レバー４５に突き当たることにより、右側ストッパ搬送路遮断領域から右側境界領域に向かって移動する。
【００４７】
媒体３４は、左側レバー４４と右側レバー４５とに突き当たった後に、分離部２１に搬送されることにより、図１３に示されているように、さらに撓み、先端５９が右側ストッパ４３に突き当たる。図１３は、左側ストッパ４２に突き当たることにより撓んだ媒体３４を示す平面図である。媒体３４は、撓むことにより、図１４に示されているように、上下方向の幅が大きくなる。図１４は、左側ストッパ４２に突き当たることにより撓んだ媒体３４を示す側面図である。すなわち、下側搬送ガイド５４と上側搬送ガイド５５とは、媒体３４が撓むことができるように、媒体読取用搬送路１７の上下方向の幅が所定の長さより大きくなるように、配置されている。
【００４８】
図１５は、斜行矯正機構４１の左側ストッパ４２と右側ストッパ４３とに突き当たる媒体３４を示す平面図である。左側レバー４４は、媒体３４が左側ストッパ４２と右側ストッパ４３との両方に突き当たることにより、左側境界領域に配置される。左側連動機構４６は、左側レバー４４が左側境界領域に配置されることにより、左側ストッパ４２が左側ストッパ搬送路開放位置に配置されるように、左側ストッパ４２を解放する。右側レバー４５は、媒体３４が左側ストッパ４２と右側ストッパ４３との両方に突き当たることにより、右側境界領域に配置される。右側連動機構４７は、右側レバー４５が右側境界領域に配置されることにより、右側ストッパ４３が右側ストッパ搬送路開放位置に配置されるように、右側ストッパ４３を解放する。
【００４９】
左側ストッパ４２は、解放されているときに媒体３４が突き当たることにより、正回転し、左側ストッパ搬送路開放位置に配置される。右側ストッパ４３は、解放されているときに媒体３４が突き当たることにより、右側ストッパ搬送路開放位置に配置される。媒体３４は、左側ストッパ４２が左側ストッパ搬送路開放位置に配置され、右側ストッパ４３が右側ストッパ搬送路開放位置に配置されることにより、搬送方向２８に垂直である平面に先端５９が沿う状態で、媒体読取用搬送路１７を搬送方向２８に搬送される。このため、媒体３４は、先端５９に沿う直線が搬送方向２８に垂直である状態で、第１フィードローラ２２に供給される。
【００５０】
斜行矯正機構４１は、媒体３４が左側ストッパ４２に突き当たる前に右側ストッパ４３に突き当たるときも、同様にして、媒体３４の斜行を矯正することができる。斜行矯正機構４１は、媒体３４が左側ストッパ４２に突き当たる前に左側レバー４４または右側レバー４５に突き当たるときも、同様にして、媒体３４の斜行を矯正することができる。
【００５１】
媒体搬送装置１０は、図１６に示されているように、媒体３４の幅より小さい幅の媒体６１を搬送することがある。図１６は、幅が小さい媒体６１が搬送されるときの斜行矯正機構４１を示す平面図である。媒体６１は、媒体読取用搬送路１７を搬送されるときに、左側ストッパ４２と左側レバー４４とに突き当たるように、かつ、右側ストッパ４３と右側レバー４５とに突き当たらないように、形成されている。このとき、媒体６１は、媒体読取用搬送路１７を搬送されることにより、左側レバー４４を左側境界位置に移動させる。左側ストッパ４２は、左側レバー４４が左側境界位置に配置されることにより、解放される。
【００５２】
媒体６１は、左側ストッパ４２が解放されているときに媒体読取用搬送路１７を搬送されることにより、図１７に示されているように、左側レバー４４を左側ストッパ搬送路開放領域に配置し、左側ストッパ４２を左側ストッパ搬送路開放位置に配置する。図１７は、幅が小さい媒体６１が搬送されるときの斜行矯正機構４１を示す他の平面図である。媒体６１は、左側ストッパ４２が左側ストッパ搬送路開放位置に配置されることにより、斜行矯正機構４１でジャムが発生することなく、媒体読取用搬送路１７を搬送方向２８に適切に搬送されることができる。
【００５３】
［媒体搬送装置１０の効果］
実施例１の媒体搬送装置１０は、下側搬送ガイド５４と上側搬送ガイド５５と左側ストッパ４２と右側ストッパ４３と左側レバー４４と右側レバー４５と左側連動機構４６と右側連動機構４７とを備えている。下側搬送ガイド５４と上側搬送ガイド５５とは、媒体が搬送方向２８に搬送される媒体読取用搬送路１７を形成している。左側ストッパ４２は、左側ストッパ搬送路遮断位置または左側ストッパ搬送路開放位置に配置されるように、移動可能に上側搬送ガイド５５に支持されている。右側ストッパ４３は、右側ストッパ搬送路遮断位置または右側ストッパ搬送路開放位置に配置されるように、移動可能に上側搬送ガイド５５に支持されている。左側レバー４４は、左側レバー搬送路遮断領域または左側レバー搬送路開放領域に配置されるように、移動可能に上側搬送ガイド５５に支持されている。右側レバー４５は、右側レバー搬送路遮断領域または右側レバー搬送路開放領域に配置されるように、移動可能に上側搬送ガイド５５に支持されている。
【００５４】
左側連動機構４６は、左側レバー４４が左側レバー搬送路遮断領域に配置されているときに、左側ストッパ４２を左側ストッパ搬送路遮断位置に配置する。左側連動機構４６は、左側レバー４４が左側レバー搬送路開放領域に配置されているときに、左側ストッパ４２が左側ストッパ搬送路開放位置に配置されるように左側ストッパ４２を解放する。右側連動機構４７は、右側レバー４５が右側レバー搬送路遮断領域に配置されているときに、右側ストッパ４３を右側ストッパ搬送路遮断位置に配置する。右側連動機構４７は、右側レバー４５が右側レバー搬送路開放領域に配置されているときに、右側ストッパ４３が右側ストッパ搬送路開放位置に配置されるように右側ストッパ４３を解放する。左側レバー４４のうちの左側レバー部分５７と右側レバー４５のうちの右側レバー部分とは、左側ストッパ４２の左側ストッパ部分５６と右側ストッパ４３の右側ストッパ部分との間に配置されている。
【００５５】
このような媒体搬送装置１０は、媒体３４の斜行を矯正することができる。画像読取装置は、プリンターと異なり、左側ストッパ４２と右側ストッパ４３との一方のみに突き当たるような幅が小さい媒体６１が搬送されることがある。媒体搬送装置１０は、幅が小さい媒体６１が搬送される場合でも、媒体６１が左側レバー４４と右側レバー４５とに突き当たることにより、左側ストッパ４２と右側ストッパ４３とを解放することができる。このため、媒体搬送装置１０は、ジャムの発生を防止することができ、媒体を適切に搬送することができる。
【実施例２】
【００５６】
ところで、既述の実施例１の媒体搬送装置１０は、左側ストッパ４２を解放する左側レバー４４が右側ストッパ４３を解放する右側レバー４５の左側に配置されているが、右側レバー４５の右側に配置されてもよい。実施例２の媒体搬送装置１０は、図１８に示されているように、既述の実施例１の媒体搬送装置１０の斜行矯正機構４１が、他の斜行矯正機構７１に置換されている。図１８は、実施例２の媒体搬送装置の斜行矯正機構７１を示す平面図である。斜行矯正機構７１は、既述の斜行矯正機構４１の左側レバー４４と右側レバー４５と左側連動機構４６と右側連動機構４７とが、他の左側レバー７２と右側レバー７３と左側連動機構７４と右側連動機構７５とに置換され、他の部分は斜行矯正機構４１と同じである。
【００５７】
左側レバー７２と右側レバー７３とは、媒体読取用搬送路１７のうちの中央に配置され、左側ストッパ４２と右側ストッパ４３との間に概ね配置されている。左側レバー７２は、左側レバー搬送路遮断領域または左側レバー搬送路開放領域に配置されるように、左側レバー回転軸７７を中心に回転可能に上側搬送ガイド５５に支持されている。左側レバー回転軸７７は、ストッパ回転軸４８に平行であり、ストッパ回転軸４８から離れている。左側レバー７２は、左側レバー搬送路遮断領域に配置されるときに、媒体読取用搬送路１７を遮断し、左側レバー搬送路開放領域に配置されるときに、媒体読取用搬送路１７を開放している。
【００５８】
右側レバー７３は、右側ストッパ４３と左側レバー７２との間に概ね配置されている。右側レバー７３は、右側レバー搬送路遮断領域または右側レバー搬送路開放領域に配置されるように、右側レバー回転軸７６を中心に回転可能に上側搬送ガイド５５に支持されている。右側レバー回転軸７６は、左側レバー回転軸７７に平行であり、左側レバー回転軸７７から離れ、かつ、ストッパ回転軸４８から離れている。右側レバー７３は、右側レバー搬送路遮断領域に配置されるときに、媒体読取用搬送路１７を遮断し、右側レバー搬送路開放領域に配置されるときに、媒体読取用搬送路１７を開放している。
【００５９】
左側連動機構７４は、右側レバー７３が右側レバー搬送路遮断領域に配置されているときに、左側ストッパ４２が左側ストッパ搬送路遮断位置に配置された状態で左側ストッパ４２を固定する。左側連動機構７４は、右側レバー７３が右側レバー搬送路開放領域に配置されているときに、左側ストッパ４２が左側ストッパ搬送路開放位置に配置されることができるように左側ストッパ４２を解放する。右側連動機構７５は、左側レバー７２が左側レバー搬送路遮断領域に配置されているときに、右側ストッパ４３が右側ストッパ搬送路遮断位置に配置された状態で右側ストッパ４３を固定する。右側連動機構７５は、左側レバー７２が左側レバー搬送路開放領域に配置されているときに、右側ストッパ４３が右側ストッパ搬送路開放位置に配置されることができるように右側ストッパ４３を解放する。
【００６０】
斜行矯正機構７１は、既述の実施例１の媒体搬送装置１０の斜行矯正機構４１と同様に、媒体読取用搬送路１７を搬送される媒体が左側レバー７２と右側レバー７３とに突き当たることにより、左側ストッパ４２と右側ストッパ４３とを解放する。斜行矯正機構７１は、左側ストッパ４２と右側ストッパ４３とを適切に固定したり解放したりすることにより、媒体読取用搬送路１７を斜行する媒体を矯正することができる。
【００６１】
図１９は、実施例２の媒体搬送装置の右側レバー７３と実施例１の媒体搬送装置１０の左側レバー４４とを示す平面図である。右側レバー７３と左側ストッパ４２との間の距離ｄ２は、既述の実施例１の媒体搬送装置１０の左側レバー４４と左側ストッパ４２との間の距離ｄ１より長い。このため、斜行矯正機構７１は、既述の実施例１の媒体搬送装置１０の斜行矯正機構４１に比較して、製造誤差による矯正後の媒体の先端の向きのずれをより小さくすることができ、斜行する媒体をより高精度に矯正することができる。
【００６２】
図２０は、幅が小さい媒体７９が搬送されるときの斜行矯正機構７１を示す平面図である。媒体７９は、媒体読取用搬送路１７を搬送されるときに、左側ストッパ４２と左側レバー７２とに突き当たるように、かつ、右側ストッパ４３と右側レバー７３とに突き当たらないように、形成されている。このとき、媒体７９は、媒体読取用搬送路１７を搬送されることにより、左側レバー７２を左側境界位置に移動させる。右側ストッパ４３は、左側レバー７２が左側境界位置に配置されることにより、解放される。
【００６３】
右側レバー７３は、媒体７９が突き当たらないことにより、右側レバー搬送路遮断領域に配置されたままになる。左側ストッパ４２は、右側レバー７３が右側レバー搬送路遮断領域に配置されたままであることにより、左側ストッパ搬送路遮断位置に固定されたままになる。図２１は、幅が小さい媒体７９が搬送されるときの斜行矯正機構７１を示す他の平面図である。媒体７９は、左側ストッパ４２が左側ストッパ搬送路遮断位置に固定されていることにより、媒体読取用搬送路１７を搬送されるときに、左側ストッパ４２に突き当たり、ジャムが発生することがある。このため、既述の実施例１の媒体搬送装置１０は、実施例２の媒体搬送装置に比較して、ジャムの発生をより防止することができ、媒体をより適切に搬送することができる。
【実施例３】
【００６４】
ところで、既述の実施例の媒体搬送装置は、左側ストッパ４２と右側ストッパ４３とに対応する２つのレバーを備えているが、１つのレバーを備えていてもよい。図２２は、実施例３の媒体搬送装置の斜行矯正機構８１を示す斜視図である。図２３は、実施例３の媒体搬送装置の斜行矯正機構８１を示す平面図である。斜行矯正機構８１は、既述の実施例１の媒体搬送装置１０の斜行矯正機構４１の左側レバー４４と右側レバー４５とが１つのレバー８２に置換され、左側連動機構４６と右側連動機構４７とが１つの機構８３に置換され、他の部分は斜行矯正機構４１と同じである。レバー８２は、媒体読取用搬送路１７のうちの中央に配置され、左側ストッパ４２と右側ストッパ４３との間に概ね配置されている。レバー８２は、レバー搬送路遮断領域またはレバー搬送路開放領域に配置されるように、レバー回転軸４９を中心に回転可能に上側搬送ガイド５５に支持されている。
【００６５】
機構８３は、レバー８２がレバー搬送路遮断領域に配置されているときに、左側ストッパ搬送路遮断位置に配置された状態で左側ストッパ４２を固定し、右側ストッパ搬送路遮断位置に配置された状態で右側ストッパ４３を固定する。機構８３は、レバー８２がレバー搬送路開放領域に配置されているときに、左側ストッパ搬送路開放位置に配置されることができるように左側ストッパ４２を解放し、右側ストッパ搬送路開放位置に配置されることができるように右側ストッパ４３を解放する。
【００６６】
斜行矯正機構８１は、既述の実施例１の媒体搬送装置１０の斜行矯正機構４１と同様に、媒体読取用搬送路１７を搬送される媒体がレバー８２に突き当たることにより、左側ストッパ４２と右側ストッパ４３とを解放する。斜行矯正機構８１は、左側ストッパ４２と右側ストッパ４３とを適切に固定したり解放したりすることにより、媒体読取用搬送路１７を斜行する媒体を矯正することができる。
【実施例４】
【００６７】
ところで、既述の実施例３の媒体搬送装置の斜行矯正機構８１は、１つのレバー８２が設けられているが、複数のレバーが設けられてもよい。図２４は、実施例４の媒体搬送装置の斜行矯正機構８５を示す斜視図である。斜行矯正機構８５は、既述の実施例３の媒体搬送装置の斜行矯正機構８１のレバー８２が、左側レバー８６と右側レバー８７とに置換され、他の部分は斜行矯正機構８１と同じである。
【００６８】
左側レバー８６と右側レバー８７とは、それぞれ棒状に形成され、媒体読取用搬送路１７のうちの中央に配置され、左側ストッパ４２と右側ストッパ４３との間に概ね配置されている。左側レバー８６と右側レバー８７とは、機構８３を介して互いに固定され、レバー搬送路遮断領域またはレバー搬送路開放領域に配置されるように、レバー回転軸４９を中心に回転可能に上側搬送ガイド５５に支持されている。
【００６９】
機構８３は、左側レバー８６と右側レバー８７とがレバー搬送路遮断領域に配置されているときに、左側ストッパ搬送路遮断位置に配置された状態で左側ストッパ４２を固定し、右側ストッパ搬送路遮断位置に配置された状態で右側ストッパ４３を固定する。機構８３は、左側レバー８６と右側レバー８７とがレバー搬送路開放領域に配置されているときに、左側ストッパ４２が左側ストッパ搬送路開放位置に配置されることができるように左側ストッパ４２を解放する。機構８３は、左側レバー８６と右側レバー８７とがレバー搬送路開放領域に配置されているときに、さらに、右側ストッパ４３が右側ストッパ搬送路開放位置に配置されることができるように右側ストッパ４３を解放する。
【００７０】
斜行矯正機構８５は、既述の実施例３の媒体搬送装置の斜行矯正機構８１と同様に、媒体読取用搬送路１７を搬送される媒体が左側レバー８６または右側レバー８７に突き当たることにより、左側ストッパ４２と右側ストッパ４３とを解放する。斜行矯正機構８５は、左側ストッパ４２と右側ストッパ４３とを適切に固定したり解放したりすることにより、媒体読取用搬送路１７を斜行する媒体を矯正することができる。
【実施例５】
【００７１】
ところで、既述に実施例の媒体搬送装置は、左側ストッパ４２と右側ストッパ４３とが設けられているが、３つ以上のストッパが設けられていてもよい。図２５は、実施例５の媒体搬送装置の斜行矯正機構９１を示す平面図である。斜行矯正機構９１は、既述の実施例３の媒体搬送装置の斜行矯正機構８１に左内側ストッパ９２と右内側ストッパ９３とが追加されている。
【００７２】
左内側ストッパ９２は、左側ストッパ４２または右側ストッパ４３と同様に、帯状に形成されている。左内側ストッパ９２は、左内側ストッパ搬送路遮断位置または左内側ストッパ搬送路開放位置に配置されるように、ストッパ回転軸４８を中心に回転可能に可動側フレーム３に支持されている。左内側ストッパ９２は、左内側ストッパ搬送路遮断位置に配置されるときに、左側ストッパ搬送路遮断位置に配置される左側ストッパ４２と同様に、左側ストッパ４２の搬送方向２８における位置と同じ位置に配置され、媒体読取用搬送路１７を遮断している。左内側ストッパ９２は、左内側ストッパ搬送路開放位置に配置されるときに、左側ストッパ搬送路開放位置に配置される左側ストッパ４２と同様に、媒体読取用搬送路１７を開放している。
【００７３】
右内側ストッパ９３は、左内側ストッパ９２と同様に、帯状に形成されている。右内側ストッパ９３は、右内側ストッパ搬送路遮断位置または右内側ストッパ搬送路開放位置に配置されるように、ストッパ回転軸４８を中心に回転可能に可動側フレーム３に支持されている。右内側ストッパ９３は、右内側ストッパ搬送路遮断位置に配置されるときに、右側ストッパ搬送路遮断位置に配置される右側ストッパ４３と同様に、左側ストッパ４２の搬送方向２８における位置と同じ位置に配置され、媒体読取用搬送路１７を遮断している。右内側ストッパ９３は、右内側ストッパ搬送路開放位置に配置されるときに、右側ストッパ搬送路開放位置に配置される右側ストッパ４３と同様に、媒体読取用搬送路１７を開放している。
【００７４】
このとき、機構８３は、レバー８２がレバー搬送路遮断領域に配置されているときに、さらに、左内側ストッパ搬送路遮断位置に配置された状態で左内側ストッパ９２を固定し、右内側ストッパ搬送路遮断位置に配置された状態で右内側ストッパ９３を固定する。機構８３は、レバー８２がレバー搬送路開放領域に配置されるときに、左内側ストッパ搬送路開放位置に配置されることができるように左内側ストッパ９２を解放し、右内側ストッパ搬送路開放位置に配置されることができるように右内側ストッパ９３を解放する。
【００７５】
斜行矯正機構９１は、媒体読取用搬送路１７を搬送される媒体がレバー８２に突き当たることにより、左側ストッパ４２と右側ストッパ４３と左内側ストッパ９２と右内側ストッパ９３とを解放する。斜行矯正機構９１は、左側ストッパ４２と右側ストッパ４３と左内側ストッパ９２と右内側ストッパ９３とを適切に固定したり解放したりすることにより、既述の斜行矯正機構と同様に、媒体読取用搬送路１７を斜行する媒体を矯正することができる。実施例５の媒体搬送装置は、既述の実施例の媒体搬送装置と同様に、幅が小さい媒体が搬送される場合でも、ジャムの発生を防止することができ、媒体を適切に搬送することができる。
【実施例６】
【００７６】
ところで、既述の実施例１の媒体搬送装置１０の左側連動機構４６は、ストッパ側突き当て部５１とレバー側突き当て部５２とが設けられているが、ストッパ側突き当て部５１とレバー側突き当て部５２と異なる他の突き当て部が設けられてもよい。実施例６の媒体搬送装置は、図２６に示されているように、既述の実施例１の媒体搬送装置１０の左側連動機構４６が、他の左側連動機構１０１に置換され、他の部分は媒体搬送装置１０と同じである。図２６は、実施例６の媒体搬送装置の左側連動機構１０１を示す側面図である。左側連動機構１０１は、レバー側突き当て部１０２とストッパ側突き当て部１０３とを備えている。レバー側突き当て部１０２は、左側レバー４４の上側に配置され、左側レバー４４に固定されている。ストッパ側突き当て部１０３は、レバー側突き当て部１０２の上側に配置され、図示されていない固定部材を介して左側ストッパ４２に固定されている。
【００７７】
レバー側突き当て部１０２は、左側レバー４４が左側レバー搬送路遮断領域に配置されている場合で、左側ストッパ４２が左側ストッパ搬送路遮断位置に配置されているときに、ストッパ側突き当て部１０３に突き当たる。左側ストッパ４２は、レバー側突き当て部１０２がストッパ側突き当て部１０３に突き当たるときに、左側ストッパ搬送路遮断位置に配置された状態で可動側フレーム３に固定される。
【００７８】
レバー側突き当て部１０２は、左側レバー４４が左側レバー搬送路開放領域または左側境界位置に配置されているときに、ストッパ側突き当て部１０３に突き当たらないように配置される。左側ストッパ４２は、左側レバー４４が左側レバー搬送路開放領域または左側境界位置に配置されているときに、レバー側突き当て部１０２がストッパ側突き当て部１０３に突き当たらないことにより、左側ストッパ搬送路開放位置に正回転するように解放される。
【００７９】
実施例６の媒体搬送装置の右側連動機構は、左側連動機構１０１と同様に形成されてもよい。実施例６の媒体搬送装置は、既述の実施例１の媒体搬送装置１０と同様に、媒体読取用搬送路１７を斜行する媒体を矯正することができ、幅が小さい媒体が搬送される場合でも、ジャムの発生を防止することができ、媒体を適切に搬送することができる。
【実施例７】
【００８０】
実施例７の媒体搬送装置は、図２７に示されているように、既述の実施例１の媒体搬送装置１０の左側連動機構４６が他の左側連動機構１１１に置換され、他の部分は媒体搬送装置１０と同じである。図２７は、実施例７の媒体搬送装置の左側連動機構１１１を示す側面図である。左側連動機構１１１は、回転止め部材１１２と固定部材１１３とを備えている。回転止め部材１１２は、固定部材１１３を介して左側レバー４４に固定されている。回転止め部材１１２は、左側レバー４４が左側レバー搬送路遮断領域に配置されているときに、下側搬送ガイド５４の一部１１４と左側ストッパ４２との間に形成される隙間１１５に挿入される。左側ストッパ４２は、回転止め部材１１２が隙間１１５に配置されるときに、左側ストッパ搬送路遮断位置に配置された状態で上側搬送ガイド５５に固定される。
【００８１】
回転止め部材１１２は、左側レバー４４が左側レバー搬送路開放領域または左側境界位置に配置されるときに、隙間１１５から外され、媒体読取用搬送路１７の外部に配置される。左側ストッパ４２は、回転止め部材１１２が隙間１１５から外されるときに、左側ストッパ搬送路開放位置に配置されるように解放される。
【００８２】
実施例７の媒体搬送装置の右側連動機構は、左側連動機構１１１と同様に形成されてもよい。実施例７の媒体搬送装置は、既述の実施例１の媒体搬送装置１０と同様に、媒体読取用搬送路１７を斜行する媒体を矯正することができ、幅が小さい媒体が搬送される場合でも、ジャムの発生を防止することができ、媒体を適切に搬送することができる。実施例７の媒体搬送装置は、回転止め部材１１２が隙間１１５に挿入されることにより、既述の実施例１の媒体搬送装置１０に比較して、左側ストッパ４２をより確実に、かつ、より強固に左側ストッパ搬送路遮断位
置に配置することができる。
【実施例８】
【００８３】
実施例８の媒体搬送装置は、図２８に示されているように、既述の実施例１の媒体搬送装置１０の左側連動機構４６が他の左側連動機構１２１に置換され、他の部分は媒体搬送装置１０と同じである。図２８は、実施例８の媒体搬送装置の左側連動機構１２１を示す側面図である。左側連動機構１２１は、くさび状部材１２２と固定部材１２３とを備えている。くさび状部材１２２は、固定部材１２３を介して左側レバー４４に固定されている。くさび状部材１２２は、左側レバー４４が左側レバー搬送路遮断領域に配置されているときに、図２９に示されているように、左側ストッパ４２の下側に配置され、左側ストッパ４２の下端１２４に突き当たっている。図２９は、実施例８の媒体搬送装置のくさび状部材１２２と左側ストッパ４２との接触部分を示す拡大図である。左側ストッパ４２は、くさび状部材１２２が下端１２４に突き当たるときに、左側ストッパ搬送路遮断位置に配置された状態で上側搬送ガイド５５に固定される。
【００８４】
くさび状部材１２２は、左側レバー４４が左側レバー搬送路開放領域または左側境界位置に配置されるときに、下端１２４から離れ、媒体読取用搬送路１７の外部に配置される。左側ストッパ４２は、くさび状部材１２２が下端１２４から離れるときに、左側ストッパ搬送路開放位置に配置されるように解放される。
【００８５】
実施例８の媒体搬送装置の右側連動機構は、左側連動機構１１１と同様に形成されてもよい。実施例８の媒体搬送装置は、既述の実施例１の媒体搬送装置１０と同様に、媒体読取用搬送路１７を斜行する媒体を矯正することができ、幅が小さい媒体が搬送される場合でも、ジャムの発生を防止することができ、媒体を適切に搬送することができる。実施例８の媒体搬送装置は、くさび状部材１２２が下端１２４に突き当たることにより、既述の実施例１の媒体搬送装置１０に比較して、左側ストッパ４２をより確実に、かつ、より強固に左側ストッパ搬送路遮断位置に配置することができる。
【実施例９】
【００８６】
実施例９の媒体搬送装置１０は、図３０に示されているように、既述の実施例１の媒体搬送装置１０の左側ストッパ４２が他の左側ストッパ１３１に置換され、他の部分は媒体搬送装置１０と同じである。図３０は、実施例９の媒体搬送装置の左側ストッパ１３１を示す側面図である。左側ストッパ１３１は、帯状に形成され、左側ストッパ搬送路遮断位置または左側ストッパ搬送路開放位置に配置されるように、ストッパ回転軸１３２を中心に回転可能に可動側フレーム３に支持されている。左側ストッパ１３１は、左側ストッパ搬送路遮断位置に配置されるときに、下側搬送ガイド５４に沿う平面に交差し、かつ、上側搬送ガイド５５に沿う平面に交差する。すなわち、左側ストッパ１３１は、左側ストッパ部分１３３を備えている。左側ストッパ部分１３３は、左側ストッパ１３１が左側ストッパ搬送路遮断位置に配置されるときに、左側ストッパ１３１のうちの媒体読取用搬送路１７に重なる部分である。左側ストッパ部分１３３は、左側ストッパ１３１が左側ストッパ搬送路遮断位置に配置されるときに、媒体読取用搬送路１７を遮断している。左側ストッパ部分１３３は、左側ストッパ１３１が左側ストッパ搬送路遮断位置に配置されるときに、左側ストッパ部分１３３のうちの搬送方向２８の反対方向の側の端１３４が斜め下側を向くように、配置される。端１３４に沿う直線と搬送方向とがなす角の角度としては、４５度が例示される。
【００８７】
図３１は、左側レバー４４が左側境界位置に配置されたときの左側ストッパ１３１を示す側面図である。左側ストッパ１３１が左側ストッパ搬送路遮断位置に配置されたときの左側ストッパ部分１３３の搬送方向２８における位置は、左側レバー４４が左側境界位置に配置されたときの左側レバー部分５７の搬送方向２８における位置に概ね等しい。
【００８８】
図３２は、左側ストッパ搬送路開放位置に配置された左側ストッパ１３１を示す側面図である。左側ストッパ１３１は、左側レバー４４が左側レバー搬送路開放領域に配置されているときに、解放されることにより、左側ストッパ搬送路開放位置に配置されることができる。左側ストッパ１３１は、左側ストッパ搬送路開放位置に配置されるときに、媒体読取用搬送路１７を媒体が搬送されるように、媒体読取用搬送路１７を開放する。
【００８９】
実施例９の媒体搬送装置の右側ストッパは、左側ストッパ１３１と同様に形成されてもよい。実施例９の媒体搬送装置は、既述の実施例１の媒体搬送装置１０と同様に、媒体読取用搬送路１７を斜行する媒体を矯正することができ、幅が小さい媒体が搬送される場合でも、ジャムの発生を防止することができ、媒体を適切に搬送することができる。実施例９の媒体搬送装置は、左側ストッパ１３１が左側ストッパ搬送路遮断位置に配置されるときに端１３４が斜め下側を向いていることにより、さらに、媒体読取用搬送路１７を搬送される媒体を下側搬送ガイド５４に沿わせることができる。
【実施例１０】
【００９０】
実施例１０の媒体搬送装置は、図３３に示されているように、既述の実施例９の媒体搬送装置の左側レバー４４が他の左側レバー１４１に置換され、他の部分は既述の実施例９の媒体搬送装置と同じである。図３３は、実施例１０の媒体搬送装置の左側レバー１４１を示す側面図である。左側レバー１４１は、屈曲した帯状に形成され、左側レバー搬送路遮断領域または左側レバー搬送路開放領域に配置されるように、移動可能に上側搬送ガイド５５に支持されている。左側レバー１４１は、左側レバー搬送路遮断領域に配置されるときに、媒体読取用搬送路１７を遮断する。左側レバー１４１は、左側レバー搬送路遮断領域に配置されるときに、左側レバー１４１のうちの下側の先端１４２がレバー回転軸４９より搬送方向２８の側に配置されるように、形成されている。
【００９１】
左側レバー１４１は、図３４に示されているように、左側レバー搬送路遮断領域から左側レバー搬送路開放領域に移動するときに左側境界位置を通過する。図３４は、左側境界位置に配置される左側レバー１４１を示す側面図である。左側レバー１４１は、左側レバー部分１４３を備えている。左側レバー部分１４３は、左側境界位置に左側レバー１４１が配置されるときに、左側レバー１４１のうちの媒体読取用搬送路１７に重なっている部分である。左側レバー１４１が左側境界位置に配置されたときの左側レバー部分１４３の搬送方向２８における位置は、左側ストッパ４２が左側ストッパ搬送路遮断位置に配置されたときの左側ストッパ部分５６の搬送方向２８における位置に概ね等しい。左側レバー部分１４３は、さらに、左側レバー１４１が左側ストッパ搬送路遮断位置に配置されるときに、左側レバー部分１４３のうちの搬送方向２８の反対方向の側の端１４４が、媒体読取用搬送路１７に沿う平面に垂直である直線に沿うように形成されている。
【００９２】
図３５は、左側レバー搬送路開放領域に配置される左側レバー１４１を示す側面図である。左側レバー１４１は、左側レバー搬送路開放領域に配置されるときに、媒体読取用搬送路１７を開放する。
【００９３】
実施例１０の媒体搬送装置の右側レバーは、左側レバー１４１と同様に形成されてもよい。実施例１０の媒体搬送装置は、既述の実施例９の媒体搬送装置と同様に、媒体読取用搬送路１７を斜行する媒体を矯正することができ、幅が小さい媒体が搬送される場合でも、ジャムの発生を防止することができ、媒体を適切に搬送することができる。実施例１０の媒体搬送装置は、左側境界位置に配置される左側レバー１４１の端１４４が、媒体読取用搬送路１７に沿う平面に垂直である直線に沿うことにより、左側ストッパ１３１を所定のタイミングで解放することができる。その所定のタイミングは、媒体読取用搬送路１７を搬送される媒体の先端が、搬送方向２８に垂直である平面に沿うタイミングに概ね等しい。実施例１０の媒体搬送装置は、左側ストッパ１３１が所定のタイミングで解放されることにより、斜行する媒体をより高精度に矯正することができる。
【００９４】
媒体搬送装置は、メンテナンスされた後に、下側搬送ガイド５４に媒体が載置された状態で、可動側フレーム３が開放位置から閉鎖位置に移動することがある。その媒体は、左側レバーの先端の搬送方向２８の位置がレバー回転軸４９と同じであるときに、左側レバーの先端が突き当たり、損傷することがある。左側レバー１４１は、左側レバー搬送路遮断領域に配置される左側レバー１４１の先端１４２がレバー回転軸４９より搬送方向２８の側に配置されることにより、可動側フレーム３が閉鎖位置に移動するときに、先端１４２がその媒体に沿うように正回転する。左側レバー１４１は、可動側フレーム３が開放位置から閉鎖位置に移動するときにその媒体に沿って正回転することにより、その媒体を損傷させることを防止することができる。
【実施例１１】
【００９５】
実施例１１の媒体搬送装置は、図３６に示されているように、既述の実施例１０の媒体搬送装置の下側搬送ガイド５４が他の下側搬送ガイド１５１に置換され、他の部分は実施例１０の媒体搬送装置と同じである。図３６は、実施例１１の媒体搬送装置の下側搬送ガイド１５１を示す側面断面図である。下側搬送ガイド１５１は、窪み１５２が形成されている。窪み１５２は、う回路１５３を形成している。う回路１５３は、左側ストッパ１３１の下部に形成され、媒体読取用搬送路１７のうちの左側ストッパ１３１より後側の部分と媒体読取用搬送路１７のうちの左側ストッパ１３１より前側の部分とを繋げている。
【００９６】
図３７は、実施例１１の媒体搬送装置の下側搬送ガイド１５１を示す平面図である。窪み１５２は、左側ストッパ１３１の下部と、左側ストッパ１３１と左側レバー１４１との間の領域とが繋がるように形成され、窪み１５２の左側の端と左側ストッパ１３１との間の間隔が所定の長さより小さくなるように形成されている。
【００９７】
実施例１１の媒体搬送装置は、既述の実施例１０の媒体搬送装置と同様に、媒体読取用搬送路１７を斜行する媒体を矯正することができ、幅が小さい媒体が搬送される場合でも、ジャムの発生を防止することができ、媒体を適切に搬送することができる。
【００９８】
実施例１１の媒体搬送装置は、幅が小さい媒体１５５を搬送することがある。媒体１５５は、媒体読取用搬送路１７を搬送されるときに、左側ストッパ１３１に突き当たるように、かつ、左側レバー１４１に突き当たらないように、形成されている。媒体１５５は、媒体読取用搬送路１７を搬送されるときに、左側ストッパ１３１に突き当たることにより、下側搬送ガイド１５１に沿うように搬送される。媒体１５５は、先端１５６に沿う直線が線分１５４に交差しないときに、左側ストッパ１３１に突き当たることにより、先端１５６のうちの左側ストッパ１３１より右側の部分が搬送方向２８に移動するように回転（図３７で時計回り）する。媒体１５５は、先端１５６に沿う直線が、左側ストッパ１３１と左側レバー１４１とを結ぶ線分１５４に交差するときに、左側ストッパ１３１によりう回路１５３に案内される。媒体１５５は、う回路１５３に案内されることにより、左側ストッパ１３１を迂回して、媒体読取用搬送路１７のうちの左側ストッパ１３１より前側の部分に搬送される。このため、実施例１１の媒体搬送装置は、媒体１５５が搬送される場合でも、ジャムの発生を防止し、媒体１５５を適切に搬送することができる。
【００９９】
なお、窪み１５２は、異なる形状に形成されてもよい。その形状としては、左側ストッパ１３１の下端が入る直線状の溝が例示される。その溝のうちの搬送方向２８の反対方向の側の後側縁は、線分１５４に交差するように、かつ、右側ほど搬送方向２８の側に近付くように、搬送方向２８に垂直である平面に対して傾斜している。その溝のうちの搬送方向２８の側の前側縁は、その後側縁に沿う直線に平行である他の直線に沿うように、形成されている。この場合も、実施例１１の媒体搬送装置は、ジャムの発生を防止し、媒体１５５を適切に搬送することができる。
【０１００】
なお、実施例１１の媒体搬送装置は、窪み１５２と同様に、右側ストッパの下端が入る窪みが下側搬送ガイド１５１に形成されることができる。実施例１１の媒体搬送装置は、このような窪みが形成されることにより、さらに、右側ストッパに突き当たり右側レバーに突き当たらない媒体を、ジャムが発生しないように、適切に搬送することができる。
【実施例１２】
【０１０１】
実施例１２の媒体搬送装置は、図３８に示されているように、既述の実施例１の媒体搬送装置１０の左側ストッパ４２が他の左側ストッパ１５８に置換されている。図３８は、実施例１２の媒体搬送装置の左側ストッパ１５８を示す断面図である。左側ストッパ１５８は、搬送方向２８の側の面が平面に沿うように形成され、搬送方向２８の反対方向の側の面１５９が円柱面に沿うように形成されている。
【０１０２】
実施例１２の媒体搬送装置は、既述の実施例１の媒体搬送装置１０と同様に、媒体読取用搬送路１７を斜行する媒体を矯正することができ、幅が小さい媒体が搬送される場合でも、ジャムの発生を防止することができ、媒体を適切に搬送することができる。実施例１２の媒体搬送装置は、さらに、面１５９が円柱面に沿うように形成されていることにより、左側ストッパ１５８に突き当たる媒体が損傷することを防止することができる。なお、面１５９は、角張らないように、なだらかに形成されてもよい。この場合も、実施例１２の媒体搬送装置は、左側ストッパ１５８に突き当たる媒体が損傷することを防止することができる。
【実施例１３】
【０１０３】
実施例１３の媒体搬送装置は、図３９に示されているように、既述の実施例１の媒体搬送装置１０の分離部２１が他の分離部１６１に置換され、他の部分は媒体搬送装置１０と同じである。図３９は、実施例１３の媒体搬送装置の分離部１６１を示す側面図である。分離部１６１は、ピックローラ１６２とブレーキローラ１６３とを備えている。ピックローラ１６２は、媒体分離用搬送路１６の上側に配置され、回転可能に可動側フレーム３に支持されている。ピックローラ１６２は、正回転（図３９で時計回り）することにより、分離口７から媒体分離用搬送路１６に挿入された複数の媒体１６４のうちの一番上に配置される媒体１６５を合流点１２に向けて搬送する。
【０１０４】
ブレーキローラ１６３は、媒体分離用搬送路１６の下側に配置され、ピックローラ１６２に接触するようにピックローラ１６２の下側に配置され、回転可能に固定側フレーム２に支持されている。ブレーキローラ１６３は、ピックローラ１６２が正回転している場合で、媒体がピックローラ１６２とブレーキローラ１６３との間に挟まれていないときに、ピックローラ１６２に追従して正回転（図３９で反時計回り）する。ブレーキローラ１６３は、複数の媒体１６４がピックローラ１６２とブレーキローラ１６３との間に挟まれているときに、逆回転（図３６で反時計回り）することにより、複数の媒体１６４のうちの媒体１６５と異なる他の媒体１６６を載置台１４に向けて搬送する。ブレーキローラ１６３は、ピックローラ１６２により搬送される媒体１６５に接触しているときに、媒体１６５に追従して正回転する。
【０１０５】
実施例１３の媒体搬送装置は、既述の実施例１の媒体搬送装置１０と同様に、媒体読取用搬送路１７を斜行する媒体を矯正することができ、幅が小さい媒体が搬送される場合でも、ジャムの発生を防止することができ、媒体を適切に搬送することができる。
【０１０６】
図４０は、実施例１３の媒体搬送装置の分離部１６１により斜行矯正機構４１に搬送される媒体１６５を示す平面図である。媒体１６５は、分離部１６１により搬送されている途中で斜行矯正機構４１により矯正されるときに、分離部１６１より斜行矯正機構４１から遠い側の部分が回転することがある。媒体１６５は、複数の媒体１６４のうちの一番上に配置されていることにより、媒体１６５のうちの分離部１６１より斜行矯正機構４１から遠い側の部分が回転しやすく、適切に矯正されることができる。
【０１０７】
図４１は、実施例１の媒体搬送装置１０の分離部２１により斜行矯正機構４１に搬送される媒体３４を示す平面図である。媒体３４のうちの分離部２１より斜行矯正機構４１から遠い側の部分は、媒体３５と載置台１４とに挟まれ、媒体１６５に比較して、回転し難い。このため、実施例１３の媒体搬送装置は、既述の実施例１の媒体搬送装置１０に比較して、媒体１６５をより適切に矯正することができる。
【０１０８】
ところで、左側ストッパ４２は、自重で、左側ストッパ搬送路遮断位置に移動するように形成されているが、媒体搬送装置は、左側ストッパ４２が左側ストッパ搬送路遮断位置に移動するように左側ストッパ４２に付勢する付勢部を備えてもよい。その付勢部としては、左側ストッパ４２が左側ストッパ搬送路遮断位置に移動するように左側ストッパ４２に弾性力を与える弾性体が例示される。また、左側レバー４４は、自重で、左側レバー搬送路遮断領域に移動するように形成されているが、媒体搬送装置は、左側レバー４４が左側レバー搬送路遮断領域に移動するように左側レバー４４に付勢する付勢部を備えてもよい。その付勢部としては、左側レバー４４が左側レバー搬送路遮断領域に移動するように左側レバー４４に弾性力を与える弾性体が例示される。このような付勢部が設けられた場合でも、媒体搬送装置は、既述の実施例の媒体搬送装置と同様に、媒体読取用搬送路１７を斜行する媒体を矯正することができ、ジャムの発生を防止することができ、媒体を適切に搬送することができる。
【０１０９】
以上、実施例を説明したが、前述した内容により実施例が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、実施例の要旨を逸脱しない範囲で構成要素の種々の省略、置換及び変更のうち少なくとも１つを行うことができる。
【符号の説明】
【０１１０】
１０    ：媒体搬送装置
１４    ：載置台
１７    ：媒体読取用搬送路
２０    ：搬送部
２１    ：分離部
２８    ：搬送方向
３１    ：ピックローラ
３２    ：ブレーキローラ
３３    ：複数の媒体
３４    ：媒体
４１    ：斜行矯正機構
４２    ：左側ストッパ
４３    ：右側ストッパ
４４    ：左側レバー
４５    ：右側レバー
４６    ：左側連動機構
４７    ：右側連動機構
４９    ：レバー回転軸
５４    ：下側搬送ガイド
５５    ：上側搬送ガイド
５６    ：左側ストッパ部分
５７    ：左側レバー部分
７１    ：斜行矯正機構
７２    ：左側レバー
７３    ：右側レバー
７４    ：左側連動機構
７５    ：右側連動機構
７６    ：右側レバー回転軸
７７    ：左側レバー回転軸
８１    ：斜行矯正機構
８２    ：レバー
８３    ：機構
８５    ：斜行矯正機構
８６    ：左側レバー
８７    ：右側レバー
９１    ：斜行矯正機構
９２    ：左内側ストッパ
９３    ：右内側ストッパ
１０１  ：左側連動機構
１０２  ：レバー側突き当て部
１０３  ：ストッパ側突き当て部
１１１  ：左側連動機構
１１２  ：回転止め部材
１１５  ：隙間
１２１  ：左側連動機構
１２２  ：くさび状部材
１２３  ：固定部材
１３１  ：左側ストッパ
１３３  ：左側ストッパ部分
１３４  ：端
１４１  ：左側レバー
１４３  ：左側レバー部分
１５１  ：下側搬送ガイド
１５３  ：う回路
１５４  ：線分
１５６  ：先端
１５８  ：左側ストッパ
１５９  ：面
１６１  ：分離部
１６２  ：ピックローラ
１６３  ：ブレーキローラ
１６４  ：複数の媒体
１６５  ：媒体
【図１】
2020037478.tif 000003
【図２】
2020037478.tif 000004
【図３】
2020037478.tif 000005
【図４】
2020037478.tif 000006
【図５】
2020037478.tif 000007
【図６】
2020037478.tif 000008
【図７】
2020037478.tif 000009
【図８】
2020037478.tif 000010
【図９】
2020037478.tif 000011
【図１０】
2020037478.tif 000012
【図１１】
2020037478.tif 000013
【図１２】
2020037478.tif 000014
【図１３】
2020037478.tif 000015
【図１４】
2020037478.tif 000016
【図１５】
2020037478.tif 000017
【図１６】
2020037478.tif 000018
【図１７】
2020037478.tif 000019
【図１８】
2020037478.tif 000020
【図１９】
2020037478.tif 000021
【図２０】
2020037478.tif 000022
【図２１】
2020037478.tif 000023
【図２２】
2020037478.tif 000024
【図２３】
2020037478.tif 000025
【図２４】
2020037478.tif 000026
【図２５】
2020037478.tif 000027
【図２６】
2020037478.tif 000028
【図２７】
2020037478.tif 000029
【図２８】
2020037478.tif 000030
【図２９】
2020037478.tif 000031
【図３０】
2020037478.tif 000032
【図３１】
2020037478.tif 000033
【図３２】
2020037478.tif 000034
【図３３】
2020037478.tif 000035
【図３４】
2020037478.tif 000036
【図３５】
2020037478.tif 000037
【図３６】
2020037478.tif 000038
【図３７】
2020037478.tif 000039
【図３８】
2020037478.tif 000040
【図３９】
2020037478.tif 000041
【図４０】
2020037478.tif 000042
【図４１】
2020037478.tif 000043